(57)【要約】【課題】本発明は、積載体内の電子素子を便利に取り替えることができる電子装置組立体を提供する。【解決手段】本発明の電子装置組立体は、ラックと、ラックに固定される２つの対向する接続アームと、２つの接続アームの間に挟持及び固定されるケースと、２つの接続アームにそれぞれ固定され、且つケースの後方に位置する２つのガイドウェイと、を備え、ケースは、頂部に開口が設けられ、且つ電子素子を積載するために用いられる積載体と、積載体の開口を覆うカバーと、を備え、積載体の左右両側には、２つの第一スライドウェイが設けられ、カバーの左右両側には、２つの第一スライドウェイに沿ってスライド可能な２つの第二スライドウェイが設けられ、カバーの２つの第二スライドウェイは、積載体の２つの第一スライドウェイから２つのガイドウェイにスライドして、カバーと積載体とを分離させる。【選択図】図２
2011238916.tif 000002
【特許請求の範囲】
【請求項１】
ラックと、前記ラックに固定される２つの対向する接続アームと、２つの前記接続アームの間に挟持及び固定されるケースと、２つの前記接続アームにそれぞれ固定され、且つ前記ケースの後方に位置する２つのガイドウェイと、を備えてなる電子装置組立体であって、
前記ケースは、頂部に開口が設けられ、且つ電子素子を積載するために用いられる積載体と、前記積載体の開口を覆うカバーと、を備え、前記積載体の左右両側には、２つの第一スライドウェイが設けられ、前記カバーの左右両側には、２つの前記第一スライドウェイに沿ってスライド可能な２つの第二スライドウェイが設けられ、
前記カバーの２つの第二スライドウェイは、前記積載体の２つの第一スライドウェイから２つの前記ガイドウェイにスライドして、前記カバーと前記積載体とを分離させることを特徴とする電子装置組立体。
【請求項２】
前記ガイドウェイは前記ケースから離間し、前記ガイドウェイと前記ケースとの間の距離は、前記第二スライドウェイの長さより短いことを特徴とする請求項１に記載の電子装置組立体。
【請求項３】
前記カバーの前側には係合部が設けられ、前記積載体の前側には当接部が設けられ、前記係合部が前記当接部に当接して、前記カバーが前記第一スライドウェイに沿ってスライドし過ぎないようにすることを特徴とする請求項２に記載の電子装置組立体。
【請求項４】
前記カバーの２つの第二スライドウェイの前端にはフック部が設けられ、前記第二スライドウェイのフック部が前記ガイドウェイの前端に当接して、前記カバーが前記ガイドウェイに沿ってスライドし過ぎないようにすることを特徴とする請求項３に記載の電子装置組立体。
【発明の詳細な説明】
【技術分野】
【０００１】
本発明は、電子装置に関するものであり、特に電子装置組立体に関するものである。
【背景技術】
【０００２】
従来の電子装置組立体は、ラック及びラックに固定されるケースを備える。前記ケースは、頂部に開口が設けられた直方体である積載体と、前記積載体の開口を覆うカバーと、を備える。前記積載体は、電子素子を積載するために用いられ、その対向する両側は前記ラックに固定される。前記カバーは、ねじによって前記積載体に固定される。前記積載体の内部に装着された電子素子を取り替える場合、前記カバーを除去して前記積載体の開口を露出するために、ねじを取り外さなければならず、電子素子を取り替えてから、再びねじで前記カバーを前記積載体に固定しなければならないので、操作が煩雑である。
【発明の概要】
【発明が解決しようとする課題】
【０００３】
本発明の目的は、前記課題を解決し、積載体内の電子素子を便利に取り替えることができる電子装置組立体を提供することである。
【課題を解決するための手段】
【０００４】
前記目的を達成するため、本発明に係る電子装置組立体は、ラックと、前記ラックに固定される２つの対向する接続アームと、２つの前記接続アームの間に挟持及び固定されるケースと、２つの前記接続アームにそれぞれ固定され、且つ前記ケースの後方に位置する２つのガイドウェイと、を備え、前記ケースは、頂部に開口が設けられ、且つ電子素子を積載するために用いられる積載体と、前記積載体の開口を覆うカバーと、を備え、前記積載体の左右両側には、２つの第一スライドウェイが設けられ、前記カバーの左右両側には、２つの前記第一スライドウェイに沿ってスライド可能な２つの第二スライドウェイが設けられ、前記カバーの２つの第二スライドウェイは、前記積載体の２つの第一スライドウェイから２つの前記ガイドウェイにスライドして、前記カバーと前記積載体とを分離させる。
【発明の効果】
【０００５】
本発明に係る電子装置組立体において、前記カバーを前記接続アームの前後方向に移動するだけで、前記カバーを前記積載体の第一スライドウェイ及び前記ガイドウェイに沿ってスライドさせて、前記積載体と前記カバーとの分離又は組み立てを実現することができ、前記カバーを取り外すことを必要とせず、従って前記積載体の内部に装着された電子素子を容易に取り替えることができる。
【図面の簡単な説明】
【０００６】
【図１】本発明の実施形態に係る電子装置組立体の斜視図である。
【図２】図１に示す電子装置組立体において、カバーをガイドウェイ方向に移動して積載体の頂部の開口を露出した状態を示す図である。
【図３】図１に示す電子装置組立体のケースの分解図である。
【図４】図１に示す電子装置組立体のガイドウェイの斜視図である。
【図５】図２に示す電子装置組立体において、カバーがガイドウェイに沿ってスライドした際の倒置図である。
【図６】図５のＶＩ部分の拡大図である。
【発明を実施するための形態】
【０００７】
図１及び図２を参照すると、本発明の実施形態に係る電子装置組立体は、ラック１０と、前記ラック１０に固定される２つの対向する接続アーム２０と、２つの前記接続アーム２０の間に挟持されるケース３０と、２つの前記接続アーム２０に固定され、且つ前記ケース３０の後方に位置する２つのガイドウェイ４０と、を備える。各々の前記接続アーム２０は、細長い帯状体である。２つの前記接続アーム２０は、互いに離間し、且つ互いに平行である。前記電子装置組立体は、サーバー又はメモリユニットとすることができる。
【０００８】
以下の説明において、各々の素子の方位は、図１及び図２における各々の素子の方位を基準とする。
【０００９】
図１〜図３を参照すると、前記ケース３０は、頂部に開口が設けられた直方体である積載体３１及び前記積載体３１の開口を覆うカバー３３を備える。前記積載体３１の内部には、複数の電子素子が装着されている。前記積載体３１の左右両側の上端は、長手方向に沿って前記積載体３１の左右両側それぞれから内側へ凹んで、略Ｖ字状の断面を有する２つの収容部３１１を形成する。前記積載体３１は、２つの前記収容部３１１の上辺縁からそれぞれ垂直方向外側に延設されてから、且つ垂直方向下方に延設されてＬ字状の断面を有する２つの第一スライドウェイ３１２と、前記積載体３１の前側の上辺縁から垂直方向内側に延設されて、前記カバー３３の前端を当接するために用いられる当接部３１３と、を備える。
【００１０】
前記カバー３３は、矩形の本体３３１と、前記本体３３１の左右両側からそれぞれ垂直方向下方に延設されてから、且つ垂直方向内側に延設されてＬ字状の断面を有する２つの第二スライドウェイ３３４と、前記本体３３１の前端の両側からそれぞれ垂直方向内側に延設される２つの係合部３３６と、前記本体３３１の後端の中部から垂直方向下方に延設されるロック部３３５と、を備える。各々の前記第二スライドウェイ３３４は、前記本体３３１に直交する第一延在部３３２と、前記本体３３１に平行な第二延在部３３３と、前記第二延在部３３３の前端から続いて内側に延設されるフック部３３７と、を備える。各々の前記係合部３３６は、折辺３３６１と、前記折辺３３６１の中部に突出し、且つ互いに離間する２つのフック３３６３と、を備える。前記ロック部３３５は、前記カバー３３を前記積載体３１にロックするために用いられる。前記フック部３３７は、前記ガイドウェイ４０に当接し、前記カバー３３が前記ガイドウェイ４０に沿ってスライドし過ぎないようにする。複数の前記フック３３６３は、前記積載体３１の前側の当接部３１３に当接し、前記カバー３３が前記第一スライドウェイ３１２に沿ってスライドし過ぎないようにする。
【００１１】
図１及び図４を参照すると、前記ガイドウェイ４０は、帯状体を連続して折り曲げられてなり、前記接続アーム２０に平行な細長い取付部４１と、前記取付部４１の上辺から垂直方向内側に延設される第一延伸部４２と、前記第一延伸部４２の外辺から垂直方向上方に延設される第一移行部４３と、前記第一移行部４３の上辺から垂直方向外側に延設されて前記第一延伸部４２に平行な第二延伸部４４と、前記第二延伸部４４の外辺から垂直方向下方に延設されて前記第一移行部４３に平行な第二移行部４５と、を備える。前記第二移行部４５の幅は、前記第一移行部４３の幅より狭い。前記第一延伸部４２、前記第二延伸部４４、前記第一移行部４３及び前記第二移行部４５が協働して中空のガイド部４６を形成して、前記カバー３３の第二スライドウェイ３３４をガイドしてスライドさせる。前記第二延伸部４４の対向する両端がそれぞれ下方に折り曲げられて２つの第一ガイド部４４１を形成し、前記第二移行部４５の対向する両端がそれぞれ前記第一移行部４３に向って折り曲げられて２つの第二ガイド部４５１を形成する。前記ガイドウェイ４０の一端に位置する前記第一ガイド部４４１及び前記第二ガイド部４５１は、前記カバー３３をガイドして前記ガイドウェイ４０に沿ってスライドさせる。
【００１２】
前記電子装置組立体を組み立てる場合、先ず、２つの前記接続アーム２０を前記ラック１０に取り付け、且つ２つの前記接続アーム２０を前記ラック１０と同じ高さに位置させるとともに互いに離間させる。次に、前記ケース３０の積載体３１を２つの前記接続アーム２０の間に放置してから、ねじで２つの前記接続アーム２０をそれぞれ前記積載体３１の左右両側の下端に螺合する。次に、前記カバー３３の前端と前記積載体３１の後端とを位置合わせしてから、前記カバー３３を前記積載体３１の開口方向に移動させると、前記積載体３１の２つの第一スライドウェイ３１２は、前記カバー３３の２つの第二スライドウェイ３３４の内部にそれぞれ収容され、前記カバー３３は、前記第一スライドウェイ３１２に沿ってスライドする。前記カバー３３の係合部３３６のフック３３６３が前記積載体３１の当接部３１３に当接し、且つ前記カバー３３のロック部３３５が前記積載体３１の後側に当接すると、前記カバー３３は移動を止める。次に、ねじ５０が前記カバー３３のロック部３３５を貫いて前記積載体３１の後側に螺合して、前記カバー３３を前記積載体３１に固定する。このように、前記ケース３０の組み立ては完成する。次に、２つの前記ガイドウェイ４０の取付部４１を２つの前記接続アーム２０の内側の中部に固定して、２つの前記ガイドウェイ４０の２つのガイド部４６の開口方向が相反するようにして、且つ２つの前記ガイドウェイ４０の２つのガイド部４６を前記カバー３３の２つの第二スライドウェイ３３４の第二延在部３３３に対応させる。このように、前記電子装置組立体の組み立ては完成する。この時、前記ガイドウェイ４０の前端は、前記ケース３０の後端から離間し、前記ガイドウェイ４０の前端と前記ケース３０の後端との間の距離は、前記第二スライドウェイ３３４の長さより短い。このようにすると、前記積載体３１の２つの第一スライドウェイ３１２が前記カバー３３の２つの第二スライドウェイ３３４から完全に離れる前に、前記カバー３３の２つの第二スライドウェイ３３４の第二延在部３３３は２つの前記ガイドウェイ４０の２つのガイド部４６の内部に入るので、前記積載体３１の２つの第一スライドウェイ３１２が前記カバー３３の２つの第二スライドウェイ３３４から完全に離れたとしても、前記カバー３３は落ちない。本実施形態において、前記ガイドウェイ４０の長さは前記第二スライドウェイ３３４より短い。他の実施形態において、前記ガイドウェイ４０の長さは、実際の需要によって決めることができ、前記カバー３３をガイドしてスライドさせ、且つ前記カバー３３のフック部３３７を当接して、前記カバー３３の移動を止めることができればよい。
【００１３】
図２、図５及び図６を参照すると、前記積載体３１内の電子素子を取り替える場合、前記ねじ５０を前記ケース３０から取り外してから、前記カバー３３を前記積載体３１の第一スライドウェイ３１２に沿って、前記ガイドウェイ４０に向ってスライドさせる。前記カバー３３の本体３３１の後端が前記ガイドウェイ４０と前記ケース３０との間の間隔を超えると、前記ガイドウェイ４０の第一ガイド部４４１及び第二ガイド部４５１にガイドされて、前記カバー３３の第二スライドウェイ３３４の第二延在部３３３は、前記ガイドウェイ４０のガイド部４６の内部に入る。前記カバー３３は、２つの前記ガイドウェイ４０に沿って続いてスライドする。前記第二スライドウェイ３３４の第二延在部３３３のフック部３３７が前記ガイドウェイ４０の第一移行部４３の前端に当接すると、前記カバー３３は移動を止め、前記カバー３３は前記積載体３１から完全に離間して、前記積載体３１の開口を露出し、前記積載体３１の内部に装着された電子素子を容易に取り替えることができる。前記電子装置を取り替えてから、前記カバー３３を前記積載体３１の開口方向に移動して、前記係合部３３６のフック３３６３が前記積載体３１の前側の当接部３１３に当接して、且つ前記カバー３３のロック部３３５が前記積載体３１の後側に当接すると、前記カバー３３は移動を止めて前記積載体３１の開口を覆う。
【００１４】
本発明の電子装置組立体において、前記カバー３３を前記接続アーム２０の前後方向に移動するだけで、前記カバー３３を前記積載体３１の第一スライドウェイ３１２及び前記ガイドウェイ４０に沿ってスライドさせて、前記積載体３１と前記カバー３３との分離又は組み立てを実現することができ、前記カバー３３を取り外すことを必要とせず、従って前記積載体３１の内部に装着された電子素子を容易に取り替えることができる。
【００１５】
以上本発明を実施例に基づいて具体的に説明したが、本発明は上述の実施例に限定されるものではなく、その要旨から逸脱しない範囲において、種々変更可能なことは勿論であって、本発明の保護範囲は、以下の特許請求の範囲によって規定される。
【符号の説明】
【００１６】
１０  ラック
２０  接続アーム
３０  ケース
３１  積載体
３３  カバー
４０  ガイドウェイ
４１  取付部
４２  第一延伸部
４３  第一移行部
４４  第二延伸部
４５  第二移行部
４６  ガイド部
３１１  収容部
３１２  第一スライドウェイ
３１３  当接部
３３１  本体
３３２  第一延在部
３３３  第二延在部
３３４  第二スライドウェイ
３３５  ロック部
３３６  係合部
３３７  フック部
４４１  第一ガイド部
４５１  第二ガイド部
３３６１  折辺
３３６３  フック
【図１】
2011238916.tif 000003
【図２】
2011238916.tif 000004
【図３】
2011238916.tif 000005
【図４】
2011238916.tif 000006
【図５】
2011238916.tif 000007
【図６】
2011238916.tif 000008